(57)【要約】【課題】着脱補助具は、輪状の弾性体に緊締し、絡まず外すことができる水に強い着脱補助具付きヘアーバンドを提供する。【解決手段】着脱補助具１は、輪状の弾性体２を着脱補助具１のビーズの穴に通して固定具３の反対側に設けることで、把持の目印になり簡単に緊締できる。【選択図】図１
2019209082.tif 000002
【特許請求の範囲】
【請求項１】
輪状の弾性体（２）に固定具（３）及び着脱補助具（１）を設けた着脱補助具付きヘアーバンドであって、着脱補助具（１）は少なくとも把持可能な大きさを有し固定具が設けられた位置と反対の位置に着脱補助具（１）を設けられたことを特徴とする着脱補助具付きヘアーバンド。
他の対象物を緊締可能にしたことを特徴とする着脱補助具付きヘアーバンド。
【請求項２】
前記輪状の弾性体（２）は透明なポリウレタンゴムとすることを特徴とする請求項１に記載の着脱補助具付きヘアーバンド。
【請求項３】
前記輪状の弾性体（２）を固定具（３）及び着脱補助具（１）を設けたシュシュ（４）に設置し、他の物を緊締可能にした着脱補助具付きヘアーバンドを１つ又は複数緊締することでオリジナルのヘアーバンドを提供することである特徴とする請求項２又は３に記載の着脱補助具付きヘアーバンドを用いた飾り付きシュシュ。
【発明の詳細な説明】
【技術分野】
【０００１】  本発明は、どのような素材の物でも簡単に緊締し着脱できる着脱補助具付きヘアーバンド及びこれを用いた飾り付きシュシュに関するものである。
【背景技術】
【０００２】  従来のシュシュ４は図７に示す。また従来のヘアーゴムは図８に示すように固定具が１個付きのヘアーゴムや図９に示すように両側に固定具が２個付いているヘアーゴムなどが存在する。
【先行技術文献】
【０００３】
【非特許文献１】ｗｗｗ．ａｍａｚｏｎ．ｃｏ．ｊｐ  シュシュ
【発明の概要】
【発明が解決しようとする課題】
【０００４】  図８や図９に示す従来のヘアーゴム５は、使用頻度が多いとゴムが伸びたり水に弱くて劣化によりゴムが切れやすくなったりする。また着脱のとき手間が掛かるなどの問題がある。
【課題を解決するための手段】
【０００５】  この問題に対し、シュシュ４に設置する際に着脱補助具１を把持して輪状の弾性体２を固定具３に設置することで簡単に緊締できる。また、シュシュ４から外す際は、着脱補助具１を把持して引っ張ることで簡単に絡まず外すことができ水にも強い着脱補助具付きヘアーバンドを提供することにある。
【発明の効果】
【０００６】  本発明に係わる着脱補助具付きヘアーバンドは、使用しているヘアーバンドが劣化したり切れた場合、シュシュ４に複数の着脱補助具付きヘアーバンドを緊締しているときに、シュシュ４に緊締された着脱補助具付きヘアーバンドを取り外すことで、ヘアーバンドとして使用できるので便利である。
【図面の簡単な説明】
【０００７】
【図１】  発明に係る着脱補助具付きヘアーバンドの図である。
【図２】  着脱補助具付きヘアーバンドの制作を示す工程図である。
【図３】  輪状の弾性体２を結んでいる第２実施例のヘアーバンドの図である。
【図４】  第２実施例のヘアーバンドの制作を示す工程図である。
【図５】  従来存在するシュシュ４に本発明の着脱補助具付きヘアーバンドを複数緊締している完成図。
【図６】  従来存在するシュシュ４に本発明の着脱補助具付きヘアーバンドを緊締している工程図である。
【図７】  従来存在するシュシュ４の図である。
【図８】  従来存在する固定具３が１個付きヘアーゴムの図である。
【図９】  従来存在する固定具３が２個付きヘアーゴムの図である。
【発明を実施するための形態】
【０００８】  本発明に係わる着脱補助具付きヘアーバンドについて、図１から図９にて説明する。
【実施例】
【０００９】  図１は、本発明の着脱補助具付きヘアーバンドを示した図である。輪状の弾性体２に着脱補助具（ビーズ）１固定具（飾り）３が設けられている。ビーズ１は、固定具３の反対側に設けられている。図１の着脱補助具付きヘアーバンドの固定具３（飾り）は、色や形や大きさ、素材（虫除け）、電光、反射する物など様々の物に変えることができるのでオリジナルのヘアーバンドを作る事ができる。【００１０】  図１の本発明の着脱補助具付きヘアーバンドは、シュシュ４の使用だけでなく着脱補助具付きヘアーバンドを緊締することができる。他の対象物として、例えば髪を束ねて使用できる簡単に緊締し着脱できる。ビニール傘・ボールペン・ペットボトル・キーホルダーなどを私物化するための目印としても使用することができるので便利である。図１の着脱補助具付きヘアーバンドは、軽いので複数着けても重くならないしコストが安い。【００１１】  図１の私の発明に一番適している着脱補助具付きヘアーバンドの輪状の弾性体２はポリウレタンゴムの透明で大きさは折径５５ｍｍ切巾２ｍｍ厚み０．３ｍｍですが、他の色や輪状の弾性体でも作成する事は可能。【００１２】  図２は本発明の工程図を示す例である。（ビーズ）１の穴に輪状の弾性体２を通し（ビーズ）１に一周回し引っ掛けて緊締した部分を接着する方法。もしくは（ビーズ）１の穴に輪状の弾性体２を通し（ビーズ）１に一周回して図２（Ｃ）のように（飾り）３を矢印の方向に弾性体２に通して結く構成にし、（Ｄ）に示す着脱補助具付きヘアーバンドが完成する。【００１３】  図３の着脱補助具付きヘアーバンドは、本発明の第２実施例の完成図を示す。図４は第２実施例の工程図を示す。着脱補助具付きヘアーバンドは少なくとも把持可能な大きさを要する。例えば着脱補助する為に輪状の弾性体２の（飾り）３の反対側を結んで把持しやすくしてもかまわないが、デザイン性を考え把持しやすく目印にするため（ビーズ）１を使用している。【００１４】  第２の飾り付きシュシュの発明の品物について、図５から図６にて説明する。図５は、着脱補助具付きヘアーバンドを複数緊締している図を示す。図６はシュシュ４に着脱補助具付きヘアーバンドを緊締する工程図を示す。シュシュ４に（ビーズ）１及び（飾り）３がとり付られており（ビーズ）１は、シュシュ４に設けられた（飾り）３に対し、輪状の弾性体２を介して設けられている。例えば飲食時にヘアーバンドが必要になった時、着脱補助具付きヘアーバンドを外す場合は、（Ｃ）から（Ａ）の工程になる。着脱補助具付きヘアーバンドは、シュシュから取り外すことでヘアーバンドとして使用することができるので便利である。【００１５】  シュシュ４に着脱補助具付きヘアーバンドはいくつでも簡単に緊締することができる。図５に示すように着脱補助具付きヘアーバンドを複数緊締することでオリジナルのヘアーバンドを作ることができる。【００１６】  従来から使用されているシュシュとヘアーゴムを図７から図９にて示す。図７シュシュにチャーム６の飾りが設置しているヘアーゴムを示す。図８は、片側に（飾り）３を１個緊締している図である。図９は両側に固定具３を２個緊締されている従来からあるヘアーゴム５は、髪の毛やシュシュ��の素材によっては絡むことがある。本発明に使用するポリウレタンゴム２は、どのような素材の物でも絡まないのが特徴である。
【符号の説明】
【００１７】１  着脱補助具（ビーズ）
２  輪状の弾性体（ポリウレタンゴム）
３  固定具（飾り）
４  シュシュ
５  従来あるヘアーゴム
６  チャーム（飾り）
【図１】
2019209082.tif 000003
【図２】
2019209082.tif 000004
【図３】
2019209082.tif 000005
【図４】
2019209082.tif 000006
【図５】
2019209082.tif 000007
【図６】
2019209082.tif 000008
【図７】
2019209082.tif 000009
【図８】
2019209082.tif 000010
【図９】
2019209082.tif 000011